(57)【要約】【課題】  紐が切れることを防止できる耐久性に優れた紐巻取装置を備えた物品を提供すること。【解決手段】  本発明は、紐２と紐巻取装置１を備えた物品Ｓであって、前記紐２を巻き付ける巻取部４１を有するドラム４と、当該ドラム４を回転可能に収納するドラム収納部３３と、当該ドラム収納部３３を構成する周壁３２の内面から前記紐巻取装置１の外部に向けて前記紐２を導き出すために、当該周壁３２に２カ所形成した紐出口３５と、を備え、前記２カ所の紐出口３５の形成位置とドラム収納部３３の中心部とが一直線上に無い場合に前記紐２の締め付けが解除された際に、前記一方の紐出口３５から前記紐２が最大限引き出されても、他方の紐出口３５と対応する前記紐２と前記巻取部４１との連結固定部分において、当該紐２の巻き付け方向が逆転するキンク、又は、当該紐２が繰り返し曲げられることによる疲労が生じない紐巻取装置１を備えた物品Ｓである。【選択図】図１
2018121890.tif 000002
【特許請求の範囲】
【請求項１】
紐と、
当該紐を締め付けたり、当該紐の締め付けを解除することができる紐巻取装置を備えた物品であって、
前記紐を巻き付ける巻取部を有するドラムと、
当該ドラムを回転可能に収納するドラム収納部と、
当該ドラム収納部を構成する周壁の内面から前記紐巻取装置の外部に向けて前記紐を導き出すために、当該周壁に２カ所形成した紐出口と、
を備え、前記２カ所の紐出口の形成位置とドラム収納部の中心部とが一直線上に無い場合において、
前記紐の締め付けが解除された際に、前記一方の紐出口から前記紐が最大限巻き戻されて引き出されても、他方の紐出口と対応する前記紐と前記巻取部との連結固定部分において、当該紐の巻き付け方向が逆転するキンク、又は、当該紐が繰り返し曲げられることによる疲労が生じないことを特徴とする紐巻取装置を備えた物品。
【請求項２】
前記巻取部から前記紐が引き出される２カ所の連結固定部分が離間する角度αが、前記２カ所の紐出口の形成位置と対応するように１８０度未満であることによって、
前記紐の締め付けが解除された際に、前記一方の紐出口から前記紐が最大限巻き戻されて引き出されても、他方の紐出口と対応する前記紐と前記巻取部との連結固定部分において、当該紐の巻き付け方向が逆転するキンク、又は、当該紐が繰り返し曲げられることによる疲労が生じないことを特徴とする請求項１に記載の紐巻取装置を備えた物品。
【請求項３】
前記ドラムの巻取部において点対称となる位置に形成した３個の紐挿通孔からなる紐挿通孔群に対して前記紐を挿通する順序を変更することによって、
前記紐の締め付けが解除された際に、前記一方の紐出口から前記紐が最大限巻き戻されて引き出されても、他方の紐出口と対応する前記紐と前記巻取部との連結固定部分において、当該紐の巻き付け方向が逆転するキンク、又は、当該紐が繰り返し曲げられることによる疲労が生じないことを特徴とする請求項２に記載の紐巻取装置を備えた物品。
【請求項４】
前記ドラムの巻取部において点対称となる位置を避けるようにして形成した３個の紐挿通孔からなる紐挿通孔群に対して前記紐を挿通することによって、
前記紐の締め付けが解除された際に、前記一方の紐出口から前記紐が最大限巻き戻されて引き出されても、他方の紐出口と対応する前記紐と前記巻取部との連結固定部分において、当該紐の巻き付け方向が逆転するキンク、又は、当該紐が繰り返し曲げられることによる疲労が生じないことを特徴とする請求項２に記載の紐巻取装置を備えた物品。
【請求項５】
前記巻取部から前記紐が引き出される２カ所の連結固定部分が離間する角度αと、
前記２カ所の紐出口が前記周壁の内面において離間する角度βとの角度差（α−β）が０度〜４５度の範囲内に有ることを特徴とする請求項２に記載の紐巻取装置を備えた物品。
【請求項６】
前記巻取部から前記紐が引き出される２カ所の連結固定部分が離間する角度αは、６０度〜１７０度の範囲内に有り、
前記２カ所の紐出口が前記周壁の内面において離間する角度βは、６０度〜１２５度の範囲内に有り、かつ、前記角度αは前記角度βより小さくないことを特徴とする請求項２〜５の何れか一項に記載の紐巻取装置を備えた物品。
【請求項７】
前記巻取部から前記紐が引き出される２カ所の連結固定部分が離間する角度αは、７０度〜１２５度の範囲内に有り、
前記２カ所の紐出口が前記周壁の内面において離間する角度βは、７０度〜９０度の範囲内に有ることを特徴とする請求項６に記載の紐巻取装置を備えた物品。
【発明の詳細な説明】
【技術分野】
【０００１】
本発明は、紐巻取装置を備えた物品に関するものであって、ゴルフやジョギングなどに使用する運動靴の他、各種の靴、鞄、身体に装着する保護具、帽子などの物品であって、紐巻取装置を備えたものに関するものである。
【背景技術】
【０００２】
従来、靴の紐などを締め付けるのに適した紐巻取装置として、ダイヤル（円盤状のつまみ）を回転することによってドラムに対して紐を巻き付けることができ、ダイヤルを操作することで、紐の締め付けを解除したり緩めることができる紐巻取装置が提案されている（特許文献１〜３０）。
これら従来の紐巻取装置のドラムに巻き付けられる紐としては、強度、耐久性及び取扱性などに優れたステンレス製の細線を複数本束ねたものの外面を樹脂にて被覆したワイヤー状の紐が適しており、多く用いられている。
【０００３】
しかしながら、従来の紐巻取装置は、本発明の一実施形態における後述する説明と同一の構成について同一の符号を付して説明すると、図１２及び図１３に示すように、ドラム４と紐２との連結固定位置（紐挿通孔４５から紐２がドラム４の外側に引き出される位置）がドラム４の回転中心を中心として点対称となる位置（１８０度離れた位置）に設定されている。
従って、ドラム４に巻き付けられている紐２を紐巻取装置のベース部材３から外部へ引き出すための紐出口３５が近接している場合、即ち、ドラム４の回転中心を中心として紐出口３５が６０度〜１３５度未満の離れた位置に設けられている場合には、紐２が切れる場合がある。
一方で、従来の紐巻取装置において、２カ所の紐出口３５の形成位置とドラム収納部３３の中心部とが一直線上に有る場合においては、紐２の切断が起こることは希である。
【０００４】
そこで、上記のように紐２の切断が起こる原因を詳細に検討した結果、２カ所の紐出口３５の形成位置とドラム収納部３３の中心部とが一直線上に無い場合において、ドラム４と紐２との連結固定位置付近において紐２が逆方向に巻き戻されるという現象（キンク）が繰り返されたり、当該紐が繰り返し曲げられることによる疲労が蓄積されることが一つの大きな原因であることが判明した（図１３参照）。
【０００５】
上記のような紐２の逆方向への巻き戻しは、図１３に示すドラム４において、矢印Ｗに示す紐２が巻き取られた状態から、何らかの理由によって矢印Ｒに示すドラム４のように紐２を紐巻取装置から最大限引き出してしまった場合に生じ、そのような操作がされることは従来は見過ごされており、対策が検討されていなかった。
【先行技術文献】
【特許文献】
【０００６】
【特許文献１】特開２０１５−２９３号公報
【特許文献２】特開２０１５−２９７号公報
【特許文献３】特表２００８−５２５０５２号公報
【特許文献４】国際公開特許  ＷＯ２００６／０５０２６６号公報
【特許文献５】国際公開特許  ＷＯ２００４／１１０１９７号公報
【特許文献６】特表２００３−５０８０９７号公報
【特許文献７】国際公開特許  ＷＯ０１／１５５５９号公報
【特許文献８】国際公開特許  ＷＯ２０１５／０３５８８５号公報
【特許文献９】特表２０１６−５３２８４１号公報
【特許文献１０】国際公開特許  ＷＯ２０１５／０３９０５２号公報
【特許文献１１】米国特許第７９５４２０４号明細書
【特許文献１２】特表２０１６−５２５３９３号公報
【特許文献１３】特開２０１０−１４８９２７号公報
【特許文献１４】特開２０１６−３６６７９号公報
【特許文献１５】国際公開特許  ＷＯ２０１５／００６６１６号公報
【特許文献１６】国際公開特許  ＷＯ２０１５／００３０７９号公報
【特許文献１７】特表２０１６−５２０４０１号公報
【特許文献１８】国際公開特許  ＷＯ２０１４／１９７７２１号公報
【特許文献１９】国際公開特許  ＷＯ２０１４／０７４６４５号公報
【特許文献２０】特表２０１３−５２５００７号公報
【特許文献２１】国際公開特許  ＷＯ２０１１／１３７４０５号公報
【特許文献２２】国際公開特許  ＷＯ２０１４／０４７８０８号公報
【特許文献２３】国際公開特許  ＷＯ２０１０／０５９９８９号公報
【特許文献２４】実用新案登録第３１５９６２０号公報
【特許文献２５】国際公開特許  ＷＯ９９／０９８５０号公報
【特許文献２６】特表２００１−５１３３７９号公報
【特許文献２７】国際公開特許  ＷＯ２０１３／１３８７５９号公報
【特許文献２８】特表２０１５−５１６８２８号公報
【特許文献２９】国際公開特許  ＷＯ２０１２／００３３９６号公報
【特許文献３０】特表２０１３−５３００２３号公報
【特許文献３１】特願２０１６−７５３７４
【特許文献３２】特願２０１６−１５７５９４
【発明の概要】
【発明が解決しようとする課題】
【０００７】
本発明が解決しようとする課題は、紐を紐巻取装置から最大限引き出してしまった場合においても、ドラムと紐との連結固定位置において、紐の巻き戻し（キンク）が生じることが無く、又は、当該紐が繰り返し曲げられることによる疲労が蓄積されることが無く、紐が切断することを効果的に防止することができる紐巻取装置を備えた物品を提供することにある。
本発明の目的は、紐におけるキンクの発生、又は、紐に疲労が蓄積することを解消することで、強度、耐久性及び信頼性を高め、メンテナンスや修理の手間を解消することができる紐巻取装置を備えた物品を提供することにある。
【課題を解決するための手段】
【０００８】
（１）本発明は、「紐と、当該紐を締め付けたり、当該紐の締め付けを解除することができる紐巻取装置を備えた物品であって、前記紐を巻き付ける巻取部を有するドラムと、当該ドラムを回転可能に収納するドラム収納部と、当該ドラム収納部を構成する周壁の内面から前記紐巻取装置の外部に向けて前記紐を導き出すために、当該周壁に２カ所形成した紐出口と、を備え、前記２カ所の紐出口の形成位置とドラム収納部の中心部とが一直線上に無い場合において、
前記紐の締め付けが解除された際に、前記一方の紐出口から前記紐が最大限巻き戻されて引き出されても、他方の紐出口と対応する前記紐と前記巻取部との連結固定部分において、当該紐の巻き付け方向が逆転するキンク、又は、当該紐が繰り返し曲げられることによる疲労が生じない紐巻取装置を備えた物品」を最も主要な特徴とするものである。
【０００９】
（２）本発明の紐巻取装置を備えた物品において、前記巻取部から前記紐が引き出される２カ所の連結固定部分が離間する角度αが、前記２カ所の紐出口の形成位置と対応するように１８０度未満であることによって、前記紐の締め付けが解除された際に、前記一方の紐出口から前記紐が最大限巻き戻されて引き出されても、他方の紐出口と対応する前記紐と前記巻取部との連結固定部分において、当該紐の巻き付け方向が逆転するキンク、又は、当該紐が繰り返し曲げられることによる疲労が生じないものであってもよい。
（３）本発明の紐巻取装置を備えた物品において、前記ドラムの巻取部において点対称となる位置に形成した３個の紐挿通孔からなる紐挿通孔群に対して前記紐を挿通する順序を変更することによって、前記紐の締め付けが解除された際に、前記一方の紐出口から前記紐が最大限巻き戻されて引き出されても、他方の紐出口と対応する前記紐と前記巻取部との連結固定部分において、当該紐の巻き付け方向が逆転するキンク、又は、当該紐が繰り返し曲げられることによる疲労が生じないものであってもよい。
【００１０】
（４）本発明の紐巻取装置を備えた物品において、前記ドラムの巻取部において点対称となる位置を避けるようにして形成した３個の紐挿通孔からなる紐挿通孔群に対して前記紐を挿通することによって、前記紐の締め付けが解除された際に、前記一方の紐出口から前記紐が最大限巻き戻されて引き出されても、他方の紐出口と対応する前記紐と前記巻取部との連結固定部分において、当該紐の巻き付け方向が逆転するキンク、又は、当該紐が繰り返し曲げられることによる疲労が生じないものであってもよい。
（５）本発明の紐巻取装置を備えた物品において、前記巻取部から前記紐が引き出される２カ所の連結固定部分が離間する角度αと、前記２カ所の紐出口が前記周壁の内面において離間する角度βとの角度差（α−β）が０度〜４５度の範囲内に有るものであってもよい。
【００１１】
（６）本発明の紐巻取装置を備えた物品において、前記巻取部から前記紐が引き出される２カ所の連結固定部分が離間する角度αは、６０度〜１７０度の範囲内に有り、前記２カ所の紐出口が前記周壁の内面において離間する角度βは、６０度〜１２５度の範囲内に有り、かつ、前記角度αは前記角度βより小さくないものであってもよい。
（７）本発明の紐巻取装置を備えた物品において、前記巻取部から前記紐が引き出される２カ所の連結固定部分が離間する角度αは、７０度〜１２５度の範囲内に有り、前記２カ所の紐出口が前記周壁の内面において離間する角度βは、７０度〜９０度の範囲内に有るものであってもよい。
【発明の効果】
【００１２】
（１）上記のように構成した本発明の紐巻取装置を備えた物品においては、何らかの理由によって紐を紐巻取装置から最大限引き出してしまった場合であっても、紐の逆方向への巻き戻し（キンク）、又は、当該紐が繰り返し曲げられることによる疲労は、生じることがなく、そのような巻き戻しが繰り返されても、紐が切断することを解消することができる。
従って、紐巻取装置の耐久性及び信頼性を高め、メンテナンスや修理の手間を軽減することができる紐巻取装置を備えた物品を提供することができる。
【００１３】
（２）本発明の紐巻取装置を備えた物品において、前記巻取部から前記紐が引き出される２カ所の連結固定部分が離間する角度αが、前記２カ所の紐出口の形成位置と対応するように１８０度未満である場合には、ドラムの形状を大きく変更すること無く、紐と前記巻取部との連結固定部分の位置を変更することで、簡単にキンクの発生又は疲労の蓄積を防止し、耐久性及び信頼性を高めた紐巻取装置を備えた物品を低コストで提供することができる。
（３）本発明の紐巻取装置を備えた物品において、前記ドラムの巻取部において点対称となる位置に形成した３個の紐挿通孔からなる紐挿通孔群に対して前記紐を挿通する順序を変更する場合には、従来のドラムの形状を変更すること無く、簡単にキンクの発生又は疲労の蓄積を防止し、耐久性及び信頼性を高めた紐巻取装置を備えた物品をコストを上げること無く提供することができる。
【００１４】
（４）本発明の紐巻取装置を備えた物品において、前記ドラムの巻取部において点対称となる位置を避けるようにして形成した３個の紐挿通孔からなる紐挿通孔群に対して前記紐を挿通する場合には、ドラムの形状を大きく変更すること無く、紐挿通孔群の位置を接近させることで、簡単にキンクの発生又は疲労の蓄積を防止し、耐久性及び信頼性を高めた紐巻取装置を備えた物品を低コストで提供することができる。
（５）本発明の紐巻取装置を備えた物品において、前記巻取部から前記紐が引き出される２カ所の連結固定部分が離間する角度αと、前記２カ所の紐出口が前記周壁の内面において離間する角度βとの角度差（α−β）が０度〜４５度の範囲内に有るものとすることで、キンクの発生又は疲労の蓄積を確実に抑えることができ、耐久性及び信頼性をより一層高めた紐巻取装置を備えた物品を提供することができる。
【００１５】
（６）本発明の紐巻取装置を備えた物品において、前記巻取部から前記紐が引き出される２カ所の連結固定部分が離間する角度αが、６０度〜１７０度の範囲内に有り、前記２カ所の紐出口が前記周壁の内面において離間する角度βが、６０度〜１２５度の範囲内に有り、かつ、前記角度αが前記角度βより小さくないものとすることで、キンクの発生又は疲労の蓄積を確実に抑えることができ、耐久性及び信頼性をより一層高めた紐巻取装置を備えた物品を提供することができる。
（７）本発明の紐巻取装置を備えた物品において、前記巻取部から前記紐が引き出される２カ所の連結固定部分が離間する角度αが、７０度〜１２５度の範囲内に有り、前記２カ所の紐出口が前記周壁の内面において離間する角度βが、７０度〜９０度の範囲内に有るものとすることで、キンクの発生又は疲労の蓄積を確実に抑えることができ、耐久性及び信頼性をより一層高めた紐巻取装置を備えた物品を提供することができる。
【図面の簡単な説明】
【００１６】
【図１】図１は本発明を具体化した一実施形態の紐巻取装置のドラムの平面図及び斜視図、ベース部材の紐出口の位置を示す平面図、並びに、紐巻取装置を備えた物品（靴）の側面図である。
【図２】図２は本発明を具体化した一実施形態の紐巻取装置の分解斜視図である。
【図３】図３は本発明を具体化した一実施形態の紐巻取装置のダイヤルを下げた状態を示す縦断面図である。
【図４】図４は本発明を具体化した一実施形態の紐巻取装置のダイヤルを引き上げた状態を示す縦断面図である。
【図５】図５は本発明を具体化した一実施形態の紐巻取装置のドラムを示し、（Ａ）は上面側を示す斜視図、（Ｂ）は下面側を示す斜視図、（Ｃ）は平面図、（Ｄ）は側面図、（Ｅ）は底面図である。
【図６】図６は本発明を具体化した一実施形態の紐巻取装置のダイヤルを示し、（Ａ）は底面図、（Ｂ）は下面側を示す斜視図、（Ｃ）は平面図、（Ｄ）は上面側を示す斜視図である。
【図７】図７は本発明を具体化した他の実施形態の紐巻取装置のドラムの底面図、及び当該ドラムに紐の端部を固定した状態を示す底面図である。
【図８】図８は本発明を具体化した他の実施形態の紐巻取装置を備えた物品（身体の保護具）を示す斜視図である。
【図９】図９は本発明を具体化した他の実施形態の紐巻取装置を備えた物品（収納用具）を示す斜視図である。
【図１０】図１０は本発明を具体化した他の実施形態の紐巻取装置を備えた物品（衣服）を示す斜視図である。
【図１１】図１１は本発明を具体化した他の実施形態の紐巻取装置を備えた物品（帽子）の斜視図である。
【図１２】図１２は従来の紐巻取装置のドラムを示す底面図及び底面側の斜視図である。
【図１３】図１３は従来の紐巻取装置のドラムの平面図及びベース部材の紐出口の位置を示す平面図である。
【発明を実施するための形態】
【００１７】
本発明は、「紐と、当該紐を締め付けたり、当該紐の締め付けを解除することができる紐巻取装置を備えた物品であって、前記紐を巻き付ける巻取部を有するドラムと、当該ドラムを回転可能に収納するドラム収納部と、当該ドラム収納部を構成する周壁の内面から前記紐巻取装置の外部に向けて前記紐を導き出すために、当該周壁に２カ所形成した紐出口と、を備え、前記２カ所の紐出口の形成位置とドラム収納部の中心部とが一直線上に無い場合において、前記紐の締め付けが解除された際に、前記一方の紐出口から前記紐が最大限巻き戻されて引き出されても、他方の紐出口と対応する前記紐と前記巻取部との連結固定部分において、当該紐の巻き付け方向が逆転するキンク、又は、当該紐が繰り返し曲げられることによる疲労が生じない紐巻取装置を備えた物品」であって、以下において説明する実施形態などにより好適に具体化することができる。
【００１８】
以下、本発明の紐巻取装置を備えた物品として、紐の一例としての靴紐を巻き取るための紐巻取装置を備えた靴の一実施形態（一実施形態：図１〜図６）について説明する。
なお、本発明に使用している紐巻取装置の実施形態の内部の構成およびその作用効果については、上記の特許文献である特願２０１３−１２７５７４（特開２０１５−２９３）、特願２０１３−１２７６１２（特開２０１５−２９７）、特願２０１４−１６３８６７（特開２０１６−３６６７９）などにおいて、本件出願人によって既に部分的に開示されている。
図１は、本発明の一実施形態の紐巻取装置１を足首と対応する位置に装備した靴Ｓを示し、この靴Ｓは、樹脂被覆された金属製のワイヤーなどからなる靴紐２によって靴Ｓの甲部を締め付けることができるようになっている。
【００１９】
本件発明の紐巻取装置に使用するのに適した「紐」としては、以下のような紐が例示できるが、これらに限定されるものではない。
１．ステンレスなどの金属製細線を複数本束ねて樹脂被覆したワイヤー状の紐、
２．金属又は樹脂などからなる細線又は糸を複数本束ねたり編んだりして形成した紐（マルチフィラメント）、
３．１本の金属又は樹脂からなる紐（モノフィラメント）
【００２０】
前記紐巻取装置１は、ベース部材３と、前記靴紐２を巻き取るためのドラム４と、当該ドラム４を回転駆動するための略円盤状のダイヤル５と、当該ダイヤル５を前記ベース部材３に装着するために前記ベース部材３に対して回転自在に固定される軸部材６と、当該軸部材６にて一端部が軸支されたバネ部材７と、ネジ８と、カバー部材９とから構成されている。
ここで、前記靴紐２としては、直径０．１１〜０．１３ｍｍのステンレス製の素線を複数本撚り合わせたワイヤーロープにスウェージングマシンにて加工を加え、ナイロン樹脂にて被覆したワイヤー状の紐、又は、ナイロン樹脂からなるモノフィラメントの紐を好適に用いることができる。  
【００２１】
前記ベース部材３は、薄板状のフランジ３１が、前記ドラム４を回転可能に収納するために円筒状に形成された周壁３２からなるドラム収納部３３の周囲に突出するように形成されることで全体が一体成形されており、当該フランジ３１が、前記靴Ｓに縫い付け固定されることなどによって紐巻取装置１を靴Ｓに固定することができるようになっている。
前記ドラム収納部３３は、その内底部の中央部（中心部）に前記ドラム４を軸支するための回転軸３４が突設されている。
【００２２】
前記ドラム収納部３３の底部には、前記周壁３２を貫通して外部に繋がる紐出口３５が２カ所形成されている。この実施形態の紐巻取装置１において、前記２カ所の紐出口３５が前記周壁３２の内面において離間する角度βは、ドラム収納部３３の中心部を基準として約８０度に設定されている。
即ち、前記２カ所の紐出口３５の形成位置と、ドラム収納部３３の中心部とは、一直線上には無いようになっている。
この角度βとしては、他の実施形態の紐巻取装置において、６０度〜１２５度の範囲内に有ってもよく、又は、７０度〜９０度の範囲に有ってもよい。
【００２３】
前記周壁３２の上端部には、当該周壁３２から外側に向けて突出する３個の爪３６が等間隔にて形成されており、当該各爪３６は、前記周壁３２を部分的に切り欠くことで弧状に湾曲した細長い棒状のバネ部３６ａの先端部に配置されている。
そして、前記爪３６は、前記バネ部３６ａが弾性変形することで、前記ドラム収納部３３の内側に向けて動くことができるようになっている。
【００２４】
前記ドラム４は、靴紐２を巻き取って保持するための円筒状の巻取部４１と、当該巻取部４１の内側に配置された円筒状の回転軸部４２を有している。そして、当該ドラム４の上下両面には、前記巻取部４１と前記回転軸部４２との間に形成された凹部４３が設けられている。
前記回転軸部４２には、前記ベース部材３の前記回転軸３４が挿入され、前記ドラム収納部３３内にて前記ドラム４が回転可能となっている。
【００２５】
前記ドラム４の下側に形成された前記凹部４３は、前記ドラム収納部３３の内底部に面しており、２個の係止突起４４を当該凹部４３内に備えている。
そして、前記巻取部４１を貫通するように形成した複数個（合計６個）の紐挿通孔４５から前記凹部４３内に導入される靴紐２の先端部を前記係止突起４４を利用して挟み込んで、当該凹部４３内に保持できるようになっている。
【００２６】
前記複数個の紐挿通孔４５は、ドラム４の回転中心に対して１８０度離間した位置に３個ずつ互いに接近した位置にて設けている。即ち、互いに近接して設けられた３個の紐挿通孔４５が１つの紐挿通孔群を構成し、そのような紐挿通孔群がドラム４の回転中心を中心とする点対称となる位置に形成されている。
かかる紐挿通孔群の配置は、従来のドラムにおいても適宜採用されている構成である。よって、従来のドラムの構成に変更を加えること無く、そのまま使用して本件発明を具体化して実施することができる。
なお、その構成については、後述する。
【００２７】
前記ドラム４の上側の凹部４３には、前記巻取部４１の内周面に沿って複数の上向きの歯４６が形成されており、前記ダイヤル５の下面部に形成された下向きの歯５１と噛合することで、前記ダイヤル５の回転を前記ドラム４に伝達できるようになっている。
前記ダイヤル５は、その中央部に軸穴５２を有しており、その軸穴５２の周囲に前記下向きの歯５１が環状に配置されて形成されている。
【００２８】
さらに、前記ダイヤル５は、その周縁部の内側面において、当該ダイヤル５の回転軸方向に延びる複数個の山部と谷部とからなり、円筒状に配置された環状ギヤ５３を備えている。
この環状ギヤ５３の谷部と前記爪３６は噛み合うように配置されており、ダイヤル５を回転させると、前記爪３６が環状ギヤの山部を乗り越えることによって、ダイヤル５の回転を一方向にのみ可能となるように制御することができるようになっている。
【００２９】
即ち、前記環状ギヤ５３と前記爪３６は、ラチェット機構を構成し、前記靴紐２を巻き付けて締め付ける方向にのみ前記環状ギヤ５３（ダイヤル５）が回転できるように、前記環状ギヤ５３の山部の断面は、「鋸歯状」に形成されている。
さらに、前記ダイヤル５は、その回転軸方向に沿って移動可能となっており、前記上向きの歯４６と前記下向きの歯５１とが噛合して前記ダイヤル５の回転を前記ドラム４に伝達できるロック状態（図３に示す状態）と、前記上向きの歯４６と前記下向きの歯５１とが離れて前記ドラム４が自由に回転できるように前記ダイヤル５から前記ドラム４を切り離した解除状態（図４に示す状態）とを実現することができるようになっている。
【００３０】
前記軸部材６は、前記ダイヤル５を前記ベース部材３に対して回転自在に装着するために、ネジ８によって前記ベース部材３に固定されるものであって、前記ダイヤル５を前記ドラム４に接近させたロック位置と当該ドラム４から離した解除位置との間で移動可能な状態で保持し案内することができるようになっている。
【００３１】
前記軸部材６は、円柱状に形成されており、その軸心方向と直交する方向にて当該軸部材６の上端部付近において、向き合った側部を切り欠いて形成した軸受部に対し、バネ部材７に形成した直線状の一端部（軸部７１）が挿入されることで、当該バネ部材７を回動可能に軸支するようになっている。
【００３２】
前記バネ部材７は、前記ダイヤル５の前記軸穴５２と隣接して形成されたバネ収納部５４に配置されるものであって、全体が略Ｕ字形に湾曲形成されており、湾曲した他端部７２が、前記バネ収納部５４に設けた係止部５５に常時当接するようになっている。
そして、前記ダイヤル５がロック位置から解除位置まで移動することで、前記ドラム４をロック状態から解除状態に切替可能としている。
さらに、当該ロック位置と解除位置との間の位置に前記バネ部材７の他端部７２が最も強く軸部材６側に圧縮される反転位置が存在するように設定されており、ダイヤル５の位置が明確に切り替わるようになっている。
【００３３】
前記ダイヤル５の上側には、円盤状のカバー部材９が嵌合し、紐巻取装置１の内部を保護し、ゴミなどが入り込まないようになっている。
なお、カバー部材９の中央部には透孔９ａが形成されており、この透孔９ａを介してカバー部材９の内側（下側）のネジ８を操作してベース部材３からドラム４、ダイヤル５、軸部材６などを取り外せるようになっている。
【００３４】
次に、上記にて説明した紐巻取装置１の各部品を組み付けて製造する方法について説明する。
まず、ベース部材３の外側から２カ所の紐出口３５にそれぞれ靴紐２の先端を挿入し、内側のドラム収納部３３側からその靴紐２の両端部を引き出す。
そして、ドラム４の巻取部４１に６カ所設けた紐挿通孔４５に靴紐２の先端を縫うようにして順次挿通することで、靴紐２の両端をドラム４に固定した後、ドラム４をドラム収納部３３内に配置する。
そして、紐挿通孔４５から靴紐２がドラム４の外側に引き出される位置、即ち、巻取部４１から靴紐２が引き出される位置が、本発明における前記巻取部４１と前記靴紐２との「連結固定部分」となる。
【００３５】
特に本実施形態においては、前記ドラム４の巻取部４１において点対称となる位置に形成した３個の紐挿通孔４５からなる紐挿通孔群に対して前記靴紐２を挿通する順序を変更することによって、前記巻取部４１から前記靴紐２が引き出される２カ所の連結固定部分が離間する角度αが、前記２カ所の紐出口３５の形成位置と対応するように１８０度未満となっている。
即ち、本実施形態の紐巻取装置１において、２カ所の紐挿通孔群における互いに一番接近した位置の紐挿通孔４５から前記凹部４３内へ靴紐２の各端部を挿通しているため、前記巻取部４１から前記靴紐２が引き出される２カ所の連結固定部分が離間する角度αは、約１２５度となっている。
【００３６】
上記の構成を採用することで、前記巻取部４１から前記靴紐２が引き出される２カ所の連結固定部分が離間する角度αと、前記２カ所の紐出口３５が前記周壁３２の内面において離間する角度βとの角度差（α−β）は、約４５度となる。
従って、前記靴紐２の締め付けが解除された際に、前記一方の紐出口３５から前記靴紐２が最大限巻き戻されて引き出されても、他方の紐出口３５と対応する前記靴紐２と前記巻取部４１との連結固定部分において、当該靴紐２の巻き付け方向が逆転するキンク、又は、当該靴紐２が繰り返し曲げられることによる疲労が生じないようになっている。
【００３７】
即ち、図１に示すドラム４において、矢印Ｗに示す靴紐２が巻き取られた状態から、何らかの理由によって矢印Ｒに示すドラム４のように靴紐２を紐巻取装置１から最大限引き出してしまった場合においても、図１３に示すドラム４とは異なり、キンクの発生又は疲労の蓄積を防ぐことができる。
【００３８】
ここで、従来の紐巻取装置の構成について再度説明すると、従来の紐巻取装置においては、図１２及び図１３に示すように、ドラム４に形成された紐挿通孔４５に紐２を挿通する順番は、ドラム４の中心に対して１８０度離れた点対称となる位置の紐挿通孔４５から紐２を挿通しており、巻取部４１から紐２が引き出される２カ所の連結固定部分が離間する角度が１８０度となっている。従って、従来の紐巻取装置においては、巻取部４１から紐２が引き出される２カ所の連結固定部分が、ベース部材３に形成されている２カ所の紐出口３５の形成位置と一致するようには対応していない。
即ち、図１２及び図１３に示す従来構造の紐巻取装置においては、巻取部４１から紐２が引き出される２カ所の連結固定部分が離間する角度と、２カ所の紐出口３５が周壁３２の内面において離間する角度との角度差は、１００度程度のものとなる。
【００３９】
従って、従来の紐巻取装置の構成においては、紐２の締め付けが解除された際に、一方の紐出口３５から紐２が最大限巻き戻されて引き出されると、他方の紐出口３５と対応する紐２と巻取部４１との連結固定部分において、当該紐２の巻き付け方向が逆転するキンク、又は、当該紐２が繰り返し曲げられることによる疲労が生じ、そのようなキンク又は紐２が曲げられることが繰り返されると紐２が切れるという問題が生じる。
【００４０】
なお、本発明の紐巻取装置１を備えた物品（靴Ｓなど）の他の実施形態において、靴紐２の締め付けが解除された際に、前記一方の紐出口３５から前記靴紐２が最大限巻き戻されて引き出されても、他方の紐出口３５と対応する前記靴紐２と前記巻取部４１との連結固定部分において、当該靴紐２の巻き付け方向が逆転するキンク、又は、当該靴紐２が繰り返し曲げられることによる疲労が生じないようにするためには、実験によって確認したところによれば、前記巻取部４１から前記靴紐２が引き出される２カ所の連結固定部分が離間する角度αと、前記２カ所の紐出口３５が前記周壁３２の内面において離間する角度βとの角度差（α−β）が０度〜４５度の範囲内に有ることが重要である。
【００４１】
また、前記巻取部４１から前記靴紐２が引き出される２カ所の連結固定部分が離間する角度αは、６０度〜１７０度の範囲内に有り、前記２カ所の紐出口３５が前記周壁３２の内面において離間する角度βは、６０度〜１２５度の範囲内に有り、かつ、前記角度αは前記角度βより小さくないことにより、前記靴紐２の締め付けが解除された際に、前記一方の紐出口３５から前記靴紐２が最大限巻き戻されて引き出されても、他方の紐出口３５と対応する前記靴紐２と前記巻取部４１との連結固定部分において、当該靴紐２の巻き付け方向が逆転するキンク、又は、当該靴紐２が繰り返し曲げられることによる疲労が生じない紐巻取装置１を備えた物品を提供することができる。
【００４２】
さらに、前記巻取部４１から前記靴紐２が引き出される２カ所の連結固定部分が離間する角度αは、７０度〜１２５度の範囲内に有り、前記２カ所の紐出口３５が前記周壁３２の内面において離間する角度βは、７０度〜９０度の範囲内に有る場合においても、前記靴紐２の締め付けが解除された際に、前記一方の紐出口３５から前記靴紐２が最大限巻き戻されて引き出されても、他方の紐出口３５と対応する前記靴紐２と前記巻取部４１との連結固定部分において、当該靴紐２の巻き付け方向が逆転するキンク、又は、当該靴紐２が繰り返し曲げられることによる疲労が生じない紐巻取装置１を備えた物品を提供することができる。
【００４３】
次に、ダイヤル５に軸部材６及びバネ部材７を組み付ける。
ここで、軸部材６の上端部に突出形成したフランジ部６２がダイヤル５の軸穴５２の周囲に当接するため、ダイヤル５が軸部材６から外れることはない。
上記手順にてダイヤル５、軸部材６及びバネ部材７を組み付けた後、ネジ８を軸部材６の軸心に沿って透設したネジ挿入孔６３に挿通し、当該ネジ８を回転軸３４に螺合することで、軸部材６などをベース部材３に装着する。
最後にカバー部材９をダイヤル５に嵌め込むことで、紐巻取装置１を組み付けることができる。
メンテナンス又は修理のために紐巻取装置１を分解する際には、カバー部材９の透孔９ａからネジ回しを挿入し、ネジ８を外すことで、組み付けられたダイヤル５、軸部材６及びバネ部材７をベース部材３から取り外すことができる。
【００４４】
なお、本実施形態の紐巻取装置１において各部材を構成する材料としては、強度、耐久性、弾力性などを考慮し、一例として以下のものを用いたが、これらの材料に限定されるものではない。
ベース部材３・・・ナイロン
ドラム４、軸部材６・・・ＰＯＭ（ポリアセタール）
ダイヤル５・・・ナイロンとその周囲にＴＰＥ（熱可塑性エラストマー）
バネ部材７・・・ステンレス鋼
ネジ８・・・炭素鋼
カバー部材９・・・ＡＢＳ樹脂
【００４５】
上記のように構成された紐巻取装置１の使用方法について説明する。
靴Ｓを履いた後に、靴紐２を締め付けるには、図３に示す紐巻取装置１のダイヤル５を前記ベース部材３に接近させたロック位置にてダイヤル５を回転操作し、靴紐２をドラム４に巻き付ける。
この場合、ダイヤル５の環状ギヤ５３の山部が爪３６に当接することで、靴紐２が緩む方向にドラム４が回転することはない。
【００４６】
次に、靴紐２の締め付けを緩めるには、紐巻取装置１のダイヤル５を上側へ引き上げることで、前記バネ部材７が最も強く圧縮される反転位置を越え、当該ロック位置と解除位置との間でバネ部材７が圧縮される方向が切り替わり、ダイヤル５をベース部材３から離した解除位置に移動させる（図４に示す状態）。
【００４７】
逆に、前記ダイヤル５を解除位置からロック位置に移動させるように下方へ押さえ付けると、前記バネ部材７が最も強く圧縮される反転位置を逆向きに越え、ドラム４の上向きの歯４６とダイヤル５の下向きの歯５１とが再び噛合することとなるため、ドラム４に靴紐２を巻き取って靴紐２を締め付けることが可能となる。
本発明は、図１に示すように靴Ｓの甲部に配置した紐巻取装置１に限定されるものではなく、靴Ｓの異なる部分を締め付ける靴紐２を締め付けるための紐巻取装置に具体化して実施してもよい。
【００４８】
さらに、本発明の紐巻取装置を備えた物品を具体化するための他の実施形態としては、図７に示すようなドラム４０を用いることができる。
なお、前記実施形態のドラム４と同一の構成については、同一の符号を付して説明を省略する。
このドラム４０は、本発明の作用効果を得るために、ドラム４０に形成される紐挿通孔４５（紐挿通孔群）の形成位置を互いに接近させることで（紐挿通孔群をドラムの回転中心に対して点対称でない位置に設けることで）、前記靴紐２とドラム４０の前記巻取部４１との２カ所の連結固定部分が離間する角度を小さくしている。
即ち、この実施形態のドラム４０においては、前記巻取部４１から靴紐２が引き出される２カ所の連結固定部分が離間する角度αを、６０度〜１７０度の範囲内に有るものとしている。
具体的には、この実施形態においては、前記巻取部４１から前記靴紐２が引き出される２カ所の連結固定部分が離間する角度αを、約１４０度としている（図７の右側に記載されているドラム４０参照）。
【００４９】
さらに、このように紐挿通孔４５（紐挿通孔群）の位置を互いに接近させたドラム４０を用いるとともに、先の実施形態と同様に、紐挿通孔群の３個の紐挿通孔４５に靴紐２の端部を挿通する順番を変更することで、前記巻取部４１から前記靴紐２が引き出される２カ所の連結固定部分が離間する角度αを、より小さくし、約６０度〜１２５度、又は、約７０度〜１２５度の範囲内に有るものとすることができる（図７の下側に記載されているドラム４０参照）。
【００５０】
本発明の紐巻取装置１を備えた物品の他の実施形態としては、図８に示すように、足、腕又は腰といった身体１００に装着する保護具１０１であってもよい。この保護具１０１としては、医療目的の物品の他、スポーツ用の物品であってもよい。
さらに、本発明の紐巻取装置１を備えた物品の他の実施形態としては、図９に示すように、ポシェット（小物入れ）、鞄、リュックサック、ランドセルなどの収納用具１０２であってもよい。
また、本発明の紐巻取装置１を備えた物品の他の実施形態としては、図１０に示すように、ライフジャケット、作業着、レインコート、ジャケット、その他の衣服１０３などであってもよい。
さらに、本発明の紐巻取装置１を備えた物品の他の実施形態としては、図１１に示すように、帽子１０４、ヘルメットなどであってもよい。
【００５１】
本発明の紐巻取装置１は、上記のような他の実施形態の物品に装着されることで、それらを身体にフィットさせるための紐を締め付けたり緩めたりするために使用でき、それらの物品の利便性を向上させるとともに、紐が切れることを防止でき、耐久性を高めることができる。
【００５２】
本発明は、ドラムと紐との連結固定部分の位置と、ドラム収納部に形成される紐出口の形成位置との関係に特徴を有するものであり、紐を巻き付けるドラムの回転を許容したり規制するための構造や、ダイヤルの構造などに依存するものではないため、特許文献１〜３０において開示されている各種形態の紐巻取構造を備えている物品の紐巻取装置及びそのドラムに適用して具体化することができる。
【００５３】
さらに、本発明は、その趣旨を逸脱しない範囲で、紐挿通孔に紐を挿通する順番を変更したり、紐、紐巻取装置およびそれを備えた物品の各部の材質、形状、寸法、角度、設置位置、大きさ、数などを適宜変更して実施してもよい。
例えば、ドラムに紐挿通孔を２個だけ設けて紐の端部をネジ又は接着剤で固定するようにしたり、紐挿通孔をドラムに７個以上設け、それらの中から紐出口の位置に合致するものを適宜選択して紐の端部を挿通するようにして実施してもよい。
図７に示す本発明の他の実施形態のドラム４００においては、巻取部４１に紐挿通孔４５を１２個設けており、それらの適宜の紐挿通孔４５に紐（靴紐２）の端部を挿通してドラム４００の巻取部４１と紐を連結固定することができる。
【産業上の利用可能性】
【００５４】
本発明は、耐久性、操作性及びメンテナンス性に優れた紐巻取装置を備えた物品として産業上好適に利用可能である。
【符号の説明】
【００５５】
１      紐巻取装置
２      靴紐（紐）
３      ベース部材
３１    フランジ
３２    周壁
３３    ドラム収納部
３４    回転軸
３５    紐出口
３６    爪
３６ａ  バネ部
４      ドラム
４０    ドラム（他の実施形態）
４００  ドラム（他の実施形態）
４１    巻取部
４２    回転軸部
４３    凹部
４４    係止突起
４５    紐挿通孔
４６    上向きの歯
５      ダイヤル
５１    下向きの歯
５２    軸穴
５３    環状ギヤ
５４    バネ収納部
５５    係止部
６      軸部材
６２    フランジ部
６３    ネジ挿入孔
７      バネ部材
７１    軸部（一端部）
７２    他端部
８      ネジ
９      カバー部材
９ａ    透孔
１００    身体
１０１    保護具
１０２    収納用具
１０３    衣服
１０４    帽子
Ｓ    靴
【図１】
2018121890.tif 000003
【図２】
2018121890.tif 000004
【図３】
2018121890.tif 000005
【図４】
2018121890.tif 000006
【図５】
2018121890.tif 000007
【図６】
2018121890.tif 000008
【図７】
2018121890.tif 000009
【図８】
2018121890.tif 000010
【図９】
2018121890.tif 000011
【図１０】
2018121890.tif 000012
【図１１】
2018121890.tif 000013
【図１２】
2018121890.tif 000014
【図１３】
2018121890.tif 000015